(57)【特許請求の範囲】
【請求項１】
庫内に商品収納ラックおよび冷却ユニットを装備した扉付きキャビネットの底部側に機械室を画成して冷凍機の風冷式コンデンシングユニットを搭載し、前記機械室を風道として周囲から取り込んだ冷却空気をコンデンシングユニットに送風するようにした自動販売機であり、前記機械室の前面を遮音壁で閉塞したうえで、該室内にコンデンシングユニットを包囲する風胴を設けるとともに、機械室の背面側には空気取入口および排気口を左右に振り分けて開口し、空気取入口から前記風胴を経由して排気口に通じる導風路を画成したものであって、
機械室の底面側を迂回してキャビネットの前方から前記の空気取入口に通じる外気の取入れ導風路を画成し、該導風路を経由してキャビネットの前方から空気を機械室内に取り込むようにした自動販売機において、
キャビネットの底面と据付け床面との間の隙間を包囲してキャビネットの前面を除く側面および背面を囲い板で包囲した導風ガイドを布設し、当該囲い板をキャビネットに対して上下可動に連結支持したことを特徴とする自動販売機。
【請求項２】
請求項１記載の自動販売機において、導風ガイドに柔軟なシートを使用し、該シートをキャビネットの前面を除く底部周域にカーテン状に垂らしてその先端が床面と接するように布設したことを特徴とする自動販売機。
【発明の詳細な説明】
【０００１】
【発明の属する技術分野】
本発明は、缶，びん，ペットボトルなどの商品をコールド商品として販売する自動販売機を対象に、庫内に商品収納ラックおよび冷却ユニットを装備した扉付きキャビネットの底部側に機械室を画成し、ここに冷凍機の風冷式コンデンシングユニットを搭載した自動販売機の構成に関する。
【０００２】
【従来の技術】
まず、頭記した自動販売機の一般的な構造例を図５，図６に示す。図において、１は断熱筐体になる自動販売機のキャビネット、１ａは商品収納庫、１ｂはキャビネット１の底部側に画成した機械室、２は前面外扉、２ａは商品取出口、３は断熱内扉、４はキャビネット１の商品収納庫１ａに収設した商品収納ラック、５は商品収納ラック４から搬出した商品を商品取出口２ａに導く商品搬出シュータ、６は商品収納庫１ａの庫内底部に設置した冷却ニット（冷凍機のエバポレータと庫内ファンとの組立体）であり、前記機械室１ｂには前記冷却ユニット６とで冷凍サイクルを形成する冷棟機の風冷式コンデンシンユニット７を搭載し、仕切壁１ｃの左側に画成した小室には電源ユニット等を収設している。なお、商品収納庫１ａの断熱筐体は、薄鋼板製になる内箱と外箱との間に、例えば発泡性樹脂の断熱材を充填した構成になる。
【０００３】
かかる自動販売機の商品販売動作は周知の通りであり、商品８は商品収納ラック４の各コラムに収納され、冷却ユニット６で冷却した冷気を庫内に循環送風して商品８を販売適温に保冷している。そして商品販売時には、販売指令に基づくベンド機構４ａの動作で商品収納ラック４から払い出した品８が商品搬出シュート５を経て商品取出口２ａに送出される。
【０００４】
また、前記の風冷式コンデンシングユニット７は圧縮機７ａ，凝縮器７ｂ，送風ファン７ｃの組立体からなり、一般には図７で示すように、外扉２の前面下部に開口する外気取入口２ｂを通じて機外前方より取り入れた冷却空気（外気）を図示矢印のように機械室１ｂの室内に送風して擬縮器７ｂ，圧縮機７ａを冷却した後、機械室１ｂの背面に開口した排気口１ｂ-1を通じてキャビネット１の背後側に排出するようにしている。
【０００５】
一方、自動販売機の運転時にコンデンシングユニット７から発生した騒音（圧縮機の振動音，送風ファンの風切り音）がキャビネット１の前方（通路側）に伝播するのを防いで低騒音化を図るために、機械室の前端面を遮音壁で閉塞した上で、キャビネットの背面側から冷却空気を取入み、排気を行うようにした構成のものが本発明と同一出願人より特願２０００─３４３４７３号として先に提案されており、その構成を図７に示す。
【０００６】
すなわち、図示の低騒音形自動販売機では、コンデンシングユニット７を搭載した機械室１ｂの前面を遮音板９で閉塞したうえで、機械室１ｂの室内にはコンデンシングユニット７を包囲して風胴１０を設け、また機械室の背面には左右に振り分けて風胴１０の出口に通じる冷却空気の排気口１１および空気取入口１２Ｌ，１２Ｒを開口するとともに、空気取入口１２Ｌ，１２Ｒと風胴１０の前面側の入口との間に風胴１０の側方を迂回する吸込導風路１３を画成し、さらに風胴１０，導風路１３の内壁面には吸音材１４を布設している。また、キャビネット１の背面には排気口１１に連通して上方に延在する排気ダクト１５を設けており、この構成で空気取入口１２Ｌ，１２Ｒから取り込んだ外気を図示矢印のようにコンデンシングユニット７へ送風し、排気口１１，排気ダクト１５を通じて天井側に排気するようにしている。
【０００７】
上記の構成によれば、機械室１ｂの前面が遮音壁９で閉塞されており、運転中にコンデンシングユニット７から発生した騒音は自動販売機の前方に漏洩することがなく、また冷却空気の送風経路の内壁面には吸音材１４が布設されていて空気取入口，排気口から外方に伝播する騒音レベルも低減するので、特に静粛性が要求される屋内設置用の自動販売機として好適である。
【０００８】
【発明が解決しようとする課題】
ところで、ロケーション先に自動販売機を据付ける場合に、１台の自動販売機を単独使用する例もあるが、例えば高速道路のサービスエリアのように多数の人が利用するロケーションでは、一般に複数台の自動販売機を同じ場所に並置して使用する例が多い。この場合に、図７に示した低騒音形の自動販売機と、図６に示した在来の一般的な自動販売機を同じ場所に並置して使用すると、保冷運転の面で次記のような問題が生じる。
【０００９】
すなわち、図６に示した一般の自動販売機では、コンデンシングユニット７を通過した高温の排気が排気口１ｂ-1を通じてそのままキャビネット１の背後に放出されるが、屋内に据付けた自動販売機はその後面と建屋の壁との間に十分な隙間が確保されてないことから高温の排気空気は直ちには広い空間に拡散されずにこの部分に停滞する。一方、図７に示した低騒音自動販売機は、冷却空気取入口１２Ｌ，１２Ｒがキャビネット１の底部後面側に開口している。このために、一般的な自動販売機と並べて設置すると、一般の自動販売機から背後に放出された高温の排気が隣接する低騒音形の自動販売機の空気取入口から取り込まれてそのコンデンシングユニット７に送風されるようになり、その結果として低騒音形の自動販売機ではコンデンシングユニット７の冷却効率が低下して十分な保冷性能が発揮できなくなる。
【００１０】
本発明は上記の点に鑑みなされたものであり、前記した低騒音形の自動販売機を対象に、その機械室に搭載した冷凍機のコンデンシンデユニットに対する外気取り入れの導風路を改良し、一般の自動販売機と同じ場所に並べて設置した場合でも、低騒音性を確保しつつ、一般の自動販売機から排出した高温排気の影響を直接受けることなしに、高い冷却性能を発揮できるようにした自動販売機を提供することを目的とする。
【００１１】
【課題を解決するための手段】
上記の目的を達成するために、本発明によれば、庫内に商品収納ラックおよび冷却ユニットを装備した扉付きキャビネットの底部側に機械室を画成して冷凍機の風冷式コンデンシングユニットを搭載し、前記機械室を風道として周囲から取り込んだ冷却空気をコンデンシングユニットに送風するようにした自動販売機であり、前記機械室の前面を遮音壁で閉塞したうえで、該室内にコンデンシングユニットを包囲する風胴を設けるとともに、機械室の背面側には空気取入口および排気口を左右に振り分けて開口し、空気取入口から前記風胴を経由して排気口に通じる導風路を画成したものであって、機械室の底面側を迂回してキャビネットの前方から前記の空気取入口に通じる外気の取入れ導風路を画成し、該導風路を経由してキャビネットの前方から空気を機械室内に取り込むようにした自動販売機において、キャビネットの底面と据付け床面との間の隙間を包囲してキャビネットの前面を除く側面および背面を囲い板で包囲した導風ガイドを布設し、当該囲い板をキャビネットに対して上下可動に連結支持する。
【００１２】
上記構成によれば、当該自動販売機を一般の自動販売機（コンデンシングユニットの排気をキャビネットの背後に放出する（図６参照））と同じ場所（屋内）に並置して使用する場合でも、一般の自動販売機から背後に排出する高温排気の影響を直接受けることがなく、これにより高い冷却性能を維持できる。しかも、外気取入れ導風路は機械室の背後から向きを反転し、キャビネットの底面側を迂回して前方に開口しているので、キャビネットの前方に漏洩する騒音は僅少となる。
【００１３】
また、本発明によれば、前記構成における外気取入れ導風路は、次記のような態様で構成することができる。
(1) キャビネットの底面と据付け床面との間の隙間を包囲してキャビネットの前面を除く底部周域に導風ガイドを布設し、キャビネットの底面と床面との間に導風ガイドで囲まれた外気取入れ導風路を画成する。
【００１４】
この構成により、キャビネットの機械室を二重底にすることなく、キャビネットの底面と据付け床面との間の隙間を外気取入れ導風路に利用して外気を取り込むことができて構造が簡単となほか、フォークリフトで行う自動販売機の持ち上げ移動にも対応できる。
(2) 導風ガイドの内面に吸音材を布設し、外部に漏洩する騒音をより一層効果的に減衰させるようにする。
【００１５】
(3) 導風ガイドを囲い板で構成し、かつ該囲い板をキャビネットに対して上下可動に連結支持し、キャビネットの支脚（ねじ式の高さアジャスタ）を調節して自動販売機の据付け高さを変えた場合でも、囲い板の下端と床面との間に不要な隙間が生じないようにして導風ガイドの機能を維持させる（請求項１）。
(4) 導風ガイドに柔軟なシートを使用し、該シートをキャビネットの前面を除く底部周域にカーテン状に垂らして先端が床面と接するように布設し、 (4) と同様に自動販売機の高さ調整に対応できるようにする（請求項２）。
【００１６】
【発明の実施の形態】
以下、本発明の実施の形態を図示の実施例に基づいて説明する。なお、各実施例の図中で図７に対応する部材には同じ符号を付してその説明は省略する。
〔実施例１〕図１(a),(b) は本発明の実施例を示すものである。この実施例においては、機械室１ｂの背面および底面域をカバー１６で覆い、コンデンシングユニット７を載置したキャビネット１の基台１ｄと前記カバー１６との間の隙間を導風路として、キャビネット１の前方から基台１ｄの裏側を迂回してコンデンシングユニット７の風胴１０の両側に画成した吸込導風路１３に連なる外気の取入れ導風路１７を画成し、該導風路１７の前端をキャビネット１の前面に開放して冷却空気の取入口を形成している。なお、外気取入れ導風路１７を画成するカバー１６の内壁面には、機械室１ｂ，風胴１０および排気ダクト１５と同様に吸音材１４を布設している。
【００１７】
かかる横成において、冷凍機の運転時には図示矢印のようにキャビネット１の前方に開口する外気取入れ導風路１７から取り込んだ外気は、導風路１７の後端から向きを反転して吸込導風路１３を経て風胴１０の前方からに流入し、コンデンシングユニット７を冷却した後に、背面側の排気口１１から排気ダクト１５を経て天井側に排気される。
【００１８】
上記の構成により、ロケーション先の同じ場所に当該自動販売機と図６に示した一般の自動販売機とを並べて設置した場合でも、一般の自動販売機から背面側に排出した高温の排気が当該自動販売機のコンデンシングユニット７に冷却空気として取り込まれるおそれがない。しかも、コンデンシングユニット７を収設した機械室１ｂの前面は遮音壁９で閉塞されており、かつキャビネットの前方に開口する外気取入れ導風路１７は、機械室の底面側を迂回してその後端から向きを反転しているので、この外気取入れ導風路１７を伝播してキャビネット１の前方に漏洩するコンデンシングユニット７の騒音は僅少であり、さらに導風路１７の内面に吸音材１４を布設しておくことで騒音の漏洩を大幅に減衰させることができる。
【００１９】
〔実施例２〕図２(a),(b) は本発明に対応する実施例を示すものである。この実施例においては、図１における底部カバー１６の代わりに、キャビネット１の前面を除く側面および背面を包囲してその下縁が自動販売機の据付け床面と接するように導風ガイドとして囲い板１８を布設し、この囲い板１８で囲まれたキャビネット１の基台１ｄと床面との間に外気取入れ導風路１７を形成している。この導風路１７は図１の実施例と同様に前端がキャビネット１の前方に開放し、後端が向きを反転して機械室６の吸込導風路１３に連通しており、その内壁面には吸音材１４を貼り付けている。なお、１９は基台１ｄの四隅に配したキャビネット１の支脚（ねじ式の高さアジャスタ）であり、この支脚１９により前記の外気取入れ導風路１７が確保される。
【００２０】
かかる構成によれば、先記した実施例１と同様な効果を奏することができるとともに、図１のようにキャビネット１の底面を二重底構造としてないので、フォークリフトなどを用いて自動販売機を移動する際には、自動販売機の自重量をキャビネットの基台１ｄで支えることができる。
〔実施例３〕図３(a) 〜(d) は先記実施例２の構成をさらに発展させた本発明の請求項１に対応する実施例を示すものである。
【００２１】
この実施例は、基本的に実施例２の構造と同様に、キャビネット１の前面を除く側面および背面を包囲してその下縁が自動販売機の据付け床面と接するように導風ガイドとして囲い板１８を布設し、この囲い板１８で囲まれたキャビネット１の基台１ｄと床面との間に外気取入れ導風路１７を形成しており、これにに加えて前記の各囲い板１８をキャビネット１に対して上下可動に支持するように、囲い板１８の板面に穿孔した長穴１８ａ，キャビネット１に取付けた段付きねじ２０を介して上下方向へ可動に遊嵌支持されている。
【００２２】
かかる構成により、ロケーション先でキャビネット１の支脚１９を伸縮調整して自動販売機の据付け高さを変更，調節する場合でも、囲い板１８はその下縁が床面に接したままキャビネット１が上下に変位するので、その都度囲い板１８の取付位置を変えることなしに導風ガイドとしての機能を維持できる。
また、この実施例では搬送用のフォーリフトを使って自動販売機を移動する場合の作業を想定して、キャビネット１の背面側に布設した囲い板１８にはその下縁に沿って内側に断面三角の枕木１８ｂを取付けている。そして、フォークリフトを使って自動販売機を持ち上げる際には、(a) 図のようにキャビネット１の前方から基台１ｄと床面との間の隙間（外気取入れ導風路１７）にフォーク２１を差込んで(b) 図のように押し込むと、フォーク２１の先端が前記の枕木１８ｂの斜面に当たって囲い板１８を押し上げる。これにより、フォーク２１を(c) 図の位置まで押し込んで自動販売機を上方に持ち上げ搬送することができる。
【００２３】
〔実施例４〕図４(a),(b) は本発明の請求項２に対応する応用実施例を示すものである。この実施例においては、キャビネット１の底面側に外気取入れ導風路を形成する導風ガイドとして、先記の実施例２，３で述べた囲い板１８の代わりに、柔軟性のあるシート（樹脂シートあるいは通気性のない布製シート）２２を使用し、このシート２２をキャビネット１の前面を除く底部周域にカーテン状に布設してキャビネット１の基台１ｄと据付け床面との間にシート２２で取り囲まれた外気取入れ導風路を形成するようにしている。なお、シート２２は、その高さ方向の丈を自動販売機の据付け高さ（床面からの高さ）よりも大きめに余裕を持たせて設定し、自動販売機の据付け状態では、(a) 図のようにシート２２の裾回りが弛んだ状態で床面に接するようにしている。
【００２４】
これにより、実施例３と同様にロケーション先でキャビネット１の支脚１９を調節して自動販売機の据付け高さを変更，調整する場合でも、柔軟なシート２２は裾回りが床面に接した状態を保ったままキャビネット１の上下変位に追随するので、導風ガイドとしての機能を維持できる。
また、フォークリフトを使って自動販売機を持ち上げ移動する場合に、(a) 図のようにキャビネット１の前方から基台１ｄと床面との間の隙間にフォーク２１を差し込むと、フォーク２１の先端に当たったシート２２は自由に変形できるので、そのまま(b) 図のようにキャビネット１をフォーク２１の上に載せて持ちあることができる。
【００２５】
【発明の効果】
以上述べたように、本発明の構成によれば、次記の効果を奏する。
(1) 遮音壁で前面を塞いだ機械室に搭載した冷凍機の風冷式コンデンシングユニットに対する冷却空気の導風路として、機械室の背後からキャビネットの底面側を迂回して前方に開口する外気取入れ導風路を形成し、この導風路を通じてキャビネットの前方側から取り込んだ外気をコンデンシングユニットに送風するようしたことにより、自動販売機の前方に漏洩するコンデンシングユニットの騒音を低く抑えて静粛性を確保しつつ、ロケーション先で当該自動販売機と一般の自動販売機（冷凍機のコンデンシングユニットから出た高温の排気をキャビネットの背面側に排出する）とを同じ場所に並べて設置した場合でも、一般の自動販売機から排出する高温排気の影響を受けることなく高い冷却性能を維持することができる。
【００２６】
(2) また、前記構成を基本として、キャビネットの底面と自動販売機の据付け床面との間の隙間を包囲してキャビネットの前面を除く底部周域に導風ガイドを布設し、キャビネットの底面と床面との間に導風ガイドで囲まれた外気取入れ導風路を形成した構成によれば、キャビネットを二重底構造とせずにキャビネットの底面側に外気取入れ導風路を形成することができるほか、フォークリフトを使って自動販売機を移動する場合でも、一般の自動販売機と同様にキャビネットの基台下面にフォークを差し込んで持ち上げ搬送することができる。
【００２７】
(3) さらに、前記導風ガイドの内面に吸音材を布設した請求項３の構成により、吸音材の減衰効果によってコンデンシンデユニットから外方に漏洩する騒音をより一層低減させることができる。
(4) また、前記の導風ガイドを囲い板で構成し、かつ該囲い板をキャビネットに対して上下可動に連結支持した請求項１の構成によれば、キャビネットの支脚（ねじ式高さアジャスタ）を調節して自動販売機の据付け高さを調整，変更した場合でも、床面と囲い板との間に不要な隙間を作ることなく確実に外気取入れ導風路を確保できる。さらに、キャビネットに導風ガイドの囲い板を組付けた状態でも、フォークリフトを使って自動販売機を持ち上げる際にフォークと囲い板との不当な干渉を回避して搬送作業を行うことができる。
【００２８】
(5) また、前記の導風ガイドに柔軟なシートを使用し、該シートをキャビネットの前面を除く底部周域にカーテン状に垂らしてその先端が床面と接するように布設した請求項２の構成により、安価な材料を使って前項 (4) と同様な効果を奏することができる。
【図面の簡単な説明】
【図１】本発明の実施例１に対応する自動販売機の構成図であり、(a) は側視断面図、(b) は(a) 図における機械室部分の横断平面図
【図２】本発明の実施例２に対応する自動販売機の構成図であり、(a) は側視断面図、(b) は(a) 図における機械室部分の正面図
【図３】本発明の実施例３に対応する自動販売機の機械室周辺の構成図であり、(a) は側視断面図、(b) は(a) 図における矢視Ｘ−Ｘ断面図、(c),(d) はフォークリフトを使って自動販売機を持ち上げる際の作業手順を表す説明図
【図４】本発明の実施例４に対応する自動販売機の機械室部分の構成図であり、(a) は自動販売機を床面上に据付けた状態の側視断面図、(b) はフォークリフトを使って自動販売機を持ち上げた状態を表す図
【図５】在来の一般的な自動販売機の扉開放状態の外観斜視図
【図６】図５の内部構造を表す側視断面図
【図７】従来における低騒音形自動販売機の構成図であり、(a) は側視断面図、(b) は(a) 図における機械室部分の横断平面図
【符号の説明】
１    キャビネット
１ａ  庫内
１ｂ  機械室
１ｄ  基台
２    外扉
３    断熱内扉
４    商品収納ラック
６    冷却ユニット
７    冷凍機の空冷式コンデンシングユニット
７ａ  圧縮機
７ｂ  凝縮器
７ｃ  送風ファン
８    商品
９    遮音壁
１０    コンデンシングユニットの風胴
１１    排気口
１３    吸込導風路
１４    吸音材
１５    排気ダクト
１７    外気取入れ導風路
１８    囲い板（導風ガイド）
１９    支脚
２２    シート（導風ガイド）
【図１】
0004306153.tif 000002
【図２】
0004306153.tif 000003
【図３】
0004306153.tif 000004
【図４】
0004306153.tif 000005
【図５】
0004306153.tif 000006
【図６】
0004306153.tif 000007
【図７】
0004306153.tif 000008